(57)【要約】【課題】害虫の誘引と化学的防除を同時に兼ね備えた総合的防除装置を設置場所の制限を受けない形態で提供する。【解決手段】燃料電池が発する炭酸ガスが誘引効果を発揮し、その総合的防除の効果を高めることができる。さらに、ファンにより広範囲の散布を可能にするとともに、ファンによって発生した気流でファンの電源となる燃料電池の効率を高めることにより、安定的電源を備えた害虫防除装置が実現できる。【選択図】    図１
2005000111.tif 000002
【特許請求の範囲】
【請求項１】
水溶性の固体または液体状の薬剤と、前記薬剤を散布するための電力を供給する燃料電池と、を備える薬剤散布装置であって、前記薬剤を収納する薬剤容器と前記燃料電池の燃料容器が同一平面状上に配置されたパッケージ体を形成し、前記パッケージ体が薬剤散布装置の本体に容易に取り外し、組み込み可能な構造であることを特徴とする薬剤散布装置。
【請求項２】
水溶性の固体または液体状の薬剤と、水溶性有機溶液を含んだ燃料を用いて発電する燃料電池と、を備える薬剤散布装置であって、前記燃料電池が発電する電力により前記薬剤が散布されるとともに、発電時に燃料電池から燃焼ガスが放出されることを特徴とする薬剤散布装置。
【請求項３】
前記燃焼ガスが害虫を誘引する害虫防除機能を有することを特徴とする請求項２に記載の薬剤散布装置。
【請求項４】
水溶性の固体または液体状の薬剤と、水溶性有機溶液を含んだ燃料を用いて発電する燃料電池と、を備える薬剤散布装置であって、前記燃料電池が発電する電力により前記薬剤が加熱によって散布されるとともに、加熱の際の上昇気流が害虫の誘引機能を有することを特徴とする薬剤散布装置。
【請求項５】
水溶性の固体または液体状の薬剤と、前記薬剤を散布するためのファンと、前記ファンを駆動するための電力を供給する燃料電池と、を備える薬剤散布装置であって、前記燃料電池が発電する電力により前記薬剤が散布されるとともに、前記ファンが前記燃料電池のカソードからの水分の蒸発を助長する機能を兼ね備えていることを特徴とする薬剤散布装置。
【発明の詳細な説明】
【０００１】
【発明の属する技術分野】
本発明は、薬剤を効率的に散布する器具とその電源を具備し、外部電源を用いない自律型の薬剤散布装置に関する。ここで、用いる薬剤を選択することで、消臭装置、芳香剤散布装置、害虫防除装置として利用可能である。害虫防除装置として利用する場合には、化学的防除と物理的防除を同時に行なえる害虫防除装置を実現できる。
【０００２】
【従来技術】
従来、害虫の防除とは害虫発生の予防と駆除の略で、予防とは「発生の抑制」や「被害の回避」などを指し、駆除とは「発生後における殺虫処理」を意味している。一般に、害虫の防除方法は、化学的防除、機械的・物理的防除、耕種的駆除、生物的駆除、の４種に大別される（非特許文献１参照）。ここで、化学的防除とは化学薬品を使用して防除することであり、具体的には殺虫剤が用いられる。殺虫剤は多種多様の作用を兼ねており、例えば、消化中毒剤、接触殺虫剤、燻蒸剤、浸透殺虫剤、補助剤、誘引剤、化学不妊剤、制虫剤、等の作用がある。同一薬剤がいくつかの作用を兼ね備えることもあるし、複数の薬剤を混合していくつかの作用を奏するようにすることもある。化学防除を行なう際に、液体（乳剤、油剤）や固体（粉剤、粒剤、錠剤、水和剤）、または、その他の剤形が散布されるが、その散布方法として、一般的には、液剤散布、粉剤散布、粒剤散布、煙霧剤散布、燻蒸、塗布、注入、滴下、浸漬、燻煙、等の方法が用いられている。尚、蚊取り線香は燻煙と定義される（非特許文献２参照）。
【０００３】
また、機械的・物理的防除とは、害虫を機械的に捕らえる、その移動を阻止する、光線、音波、超音波、熱線、高圧電流、放射線などの物理エネルギーにより害虫を誘引・忌避、抑制・錯乱する、等、害虫の行動を制御したり、あるいは、害虫の生殖能力を奪ったり、殺虫するなどの防除法を表している（非特許文献３参照）。
【０００４】
ここで、従来では、害虫防除のために化学薬品を散布するには発熱体（加熱用のヒーター）を用いていた（例えば、特許文献１、２、３、４参照）。特に、双翅目のカ類に代表される「蚊」などの吸血性の害虫は温度による吸引性があることが知られている（例えば、非特許文献４参照）。そのため、蚊などの害虫を効果的に防除するには、加熱ヒーターと薬剤の散布を同時に行なうことは、化学的防除と物理的防除を同時に実施する総合的防除であり、その有効性が高い。しかし、これらの発熱体は主に家庭用のコンセントより電源を供給することを前提としており、害虫駆除の散布装置を家屋に設置する場合は電源の取れる場所の近傍に配置するなどの制限をうける（例えば、特許文献１、２、３参照）。そのため、野外での使用はできなかった。家屋内での設置場所の制限を解除するため、市販の乾電池を利用することが考えられる。しかし、加熱用の発熱体に十分な電力を与えるには、乾電池では使用時間が短くなるなどの問題が生じる。また、家屋内の隅々まで広範囲に薬剤を散布するためには、ファンを用いることが効果的である。しかしながら、温度による誘引の効果は期待できなかった。
【０００５】
【非特許文献１】
斎藤哲夫、松本義明、平嶋義宏、久野英二、中島俊夫共著、「新・応用昆虫学」、朝倉書店、改訂版−第８刷、１９９１年３月１０日、（第１２０頁−第１２１頁）
【０００６】
【非特許文献２】
同上、（第１３３頁−１４２頁）
【０００７】
【非特許文献３】
同上、（第１５３頁）
【０００８】
【特許文献１】
特開平５−１９４１０３号公報（第１１頁、第３図）
【０００９】
【特許文献２】
特開平５−５８８０６号公報（第１８頁、第１図）
【００１０】
【特許文献３】
特開平８−２０５７４４号公報（第９頁、第３図）
【００１１】
【特許文献１】
特開平７−８９８０６号公報（第１１頁、第１図）
【００１２】
【非特許文献４】
池症司敏明著、「蚊」、（財）東京大学出版会、初版、１９９３年２月１０日発行、（第１３９頁―第１４１頁）
【００１３】
【発明が解決しようとする課題】
上述したように、化学的防除と物理的防除を同時に実施する総合的防除が可能な散布装置は、設置場所の制限を受けるという課題があった。逆に、携帯可能な電源で散布装置を駆動することでは、害虫の誘引と化学的防除を同時に兼ね備えた総合的防除装置を提供することができなかった。
【００１４】
【課題を解決するための手段】
そこで、本発明の薬剤散布装置は、水溶性の固体または液体状の薬剤と、薬剤を散布するための電力を供給する燃料電池とを備えており、薬剤を収納する薬剤容器と燃料電池の燃料容器が同一平面状上に配置されたパッケージ体を形成し、パッケージ体が薬剤散布装置の本体に容易に取り外し、組み込み可能な構造とした。このような構成により、化学的防除と物理的防除を同時に実施する総合的防除が可能で設置場所を選ばない装置を提供できる。さらに、薬剤の消費と燃料電池の燃料が消費される時期を同一に設定し、かつ化学防除の薬剤を入れた容器と燃料電池の燃料を入れた容器を接合することで、薬液と燃料の交換が同時にできるようになり、利便性が高まった。
【００１５】
また、本発明による薬剤散布装置は、水溶性の固体または液体状の薬剤と、水溶性有機溶液を含んだ燃料を用いて発電する燃料電池と、を備えており、燃料電池が発電する電力により薬剤が散布されるとともに、発電時に燃料電池から燃焼ガスが放出されることとした。さらに、燃焼ガスが害虫を誘引する害虫防除機能を有することとした。特に、燃料電池が発する炭酸ガスが誘引効果を発揮し、その総合的防除の効果を高めることが可能となる。
【００１６】
また、本発明による薬剤散布装置は、水溶性の固体または液体状の薬剤と、水溶性有機溶液を含んだ燃料を用いて発電する燃料電池と、を備えており、燃料電池が発電する電力により薬剤が加熱によって散布されるとともに、加熱の際の上昇気流が害虫の誘引機能を有することとした。または、本発明による薬剤散布装置は、水溶性の固体または液体状の薬剤と、薬剤を散布するためのファンと、ファンを駆動するための電力を供給する燃料電池と、を備えており、燃料電池が発電する電力により薬剤が散布されるとともに、ファンが燃料電池のカソードからの水分の蒸発を助長する機能を兼ね備えていることとした。このような構成により、広範囲に薬剤を散布する際に、ファンにより散布を実施し、ファンによって発生した気流がその電源となる燃料電池の効率を高めることとなり、電源を安定化させる作用を有する害虫防除装置を提供できる。
【００１７】
【発明の実施形態】
本発明の薬剤散布装置を図に基づいて説明する。図１に、本発明のヒーターを用いた薬剤散布システムの概念図を示す。燃料電池部１では燃料容器部２から供給された燃料により発電が行われる。発電で得られた電力を薬剤散布のために用いるヒーター部４に供給する。一方、ヒーター部４には薬液タンク部から薬剤３が供給されており、この薬剤をヒーター部４で加熱することにより、薬剤を気化して拡散する。ヒーター部４に必要な電圧は燃料電池を直列にして得ることも可能である。また、昇圧回路を介して必要な電圧にすることも可能である。
【００１８】
本発明のファンを用いた薬剤散布システムの概念図を図２に示す。図１の場合と同様に、燃料容器部２から燃料電池部１へ燃料を供給し、発電が行われる。発電で得られた電力を薬剤散布のために用いるファン５に供給する。一方、ファン部には薬液タンク部から薬剤３が供給されており、ファンの風力により薬剤の揮発と拡散が促進する。さらに、ファンにより生じた気流により燃料電池部１で生じた水分の蒸発も促進されることになる。ここで、燃料電池部１を駆動させる燃料容器２と薬剤容器３は物理的に接続されており、燃料の交換と薬剤の交換が同時に行なえる構成である。
【００１９】
本発明のヒーターを用いた薬剤散布装置の断面図を図３に示す。図１で示した燃料電池部１は固体高分子膜（ＰＥＭ）１０を挟持したカソード（正極）１１とアノード（負極）１２により構成されている。固体高分子膜１０はイオン選択性を有する高分子材料でできており、その中にイオンの通過の促進、膜の構造安定化の促進、クロスオーバーの影響の低減、等の目的のためのガラス、無機物、金属酸化物を添加することができる。具体的には、固体高分子膜には、デュポン製のナフィオン（商標）やＰＥＥＫ等のエンジニアリングプラスチックを加工して用いることができる。カソード１１は炭素系材料と触媒により構成され必要に応じて結着剤の機能を有する材料を加えることができる。触媒は大気中の酸素から酸化剤を生成することができる。カソード１１に用いる触媒は白金や白金族元素の合金、遷移金属酸化物、触媒機能を有する有機物等を用いることができる。特に白金や白金系の合金を用いる場合には炭素材料に高分散することで高効率にすることができる。また、二酸化マンガンやその他の遷移金属やその複合酸化物を触媒にする場合、酸化物の粉末とカーボンブラックやカーボンナノチューブなどの電子導電助剤をポリテトラフルオロエチレン等の結着剤と混合し電極として用いることができる。アノード１２は炭素系材料に触媒を担持し、燃料を酸化し電子を発生することができる。アノード１２で生成した電子はアノード配線１４によりヒーター部４１へ送られる。カソード配線１３は燃料電池のカソード１１とヒーター部４１を接続しており、カソード１１で触媒反応に必要な電子を供給する。ここで、カソード配線１３又はアノード配線１４の途中に昇圧回路やその他の制御回路を介在していても良い。アノードに用いる触媒は白金や白金族元素の合金、遷移金属酸化物、触媒機能を有する有機物等をもちいることができる。特に白金や白金系の合金を用いる場合には炭素材料に高分散することで高効率にすることができる。特に、白金を触媒とする場合はルテニウム等の合金を用いることで被毒を抑制できる。また、二酸化マンガンやその他の遷移金属やその複合酸化物を触媒にする場合、酸化物の粉末とカーボンブラックやカーボンナノチューブなどの電子導電助剤をポリテトラフルオロエチレン等の結着剤と混合し電極として用いることができる。燃料２１は水素源であり、触媒を介して水素を発生する能力を有していれば良く、水溶性の極性を有する有機物を含有させて用いることができる。極性を有する有機物として、水素結合を発揮できる直鎖や側鎖を有する脂肪族系炭化水素類を用いることができる。例えば、（１）メタノール、エタノール、２−メチルプロパノール（ＩＰＡ）、ブタノール、あるいは、その他のアルコール類、（２）エチレングリコール、プロピレングリコール、あるいは、その他のグリコール類、（３）ジメチルケトン、メチル−エチルケトンなどのケトン類や（４）アセトンや各種エーテル類、を用いることができる。また、燃料２１として用いる水溶性の有機物は水と混合状態で用いることができる。例えば燃料２１としてメタノールの場合、水と１：１のモル比で予め混合し調整しておくことができる。燃料容器２２と薬液容器３２を物理的に接続させてもよい。燃料容器２２と薬液容器３２が物理的に接続されている場合は、これらを同時に交換できる利便性を有する。薬液容器２２と燃料容器３２の材質は特に限定されるものではないが、燃料に対して不溶であるか、燃料に対して膨潤することが少ないプラスチックを用いることができる。特に加工性を考慮すると各種熱可塑性のプラスチックを用いることが優れ、これらのプラスチックをブロー成形、射出成形その他の成形法を用い成形することができる。例えば、ポリスチロールやポリオレフィンなどを用いることができる。また、燃料容器２２の内表面または外表面をアルミニウム等の金属や酸化ケイ素等の無機物を被覆することができる。特に珪素の酸化物を真空蒸着処理することで未使用時の燃料２１や薬剤３１の揮発等による消失や大気中の酸素や光の影響等による変質を防ぐことができる。燃料２１を燃料電池のアノード１２に送る方法として、図中には記載がないが、送液のためのポンプを用いることができる。燃料２１を燃料電池のアノード１２に送る方法として、毛細管現象や浸透圧を利用することもできる。図示するように、燃料含浸棒２４を例示することができる。燃料含浸棒２４と薬液容器２２の隙間を塞ぐために燃料中栓２３を配置してもよい。燃料中栓２３は燃料含浸棒２４を貫通する孔を有し、燃料容器２２とは圧入、カシメ、ねじ込み、その他の封止法を用いて取り付けることができる。また、燃料容器２２の、燃料２１で満たされない空隙部分を窒素やその他のガスを満たし、その圧力で薬液２１の液面を加圧し、燃料２１の送液を促進させることができる。また、液の自重により燃料２１を燃料電池のアノード１２に送液することも可能である。
【００２０】
この場合、燃料含浸棒２４は、燃料を送液する際の流量をコントロールする機能を有する。燃料含浸棒２４の周囲には燃料揮発防止カバー２５を配置してもよく、燃料含浸棒２４から燃料電池アノード１２へ燃料を送液するまでに燃料が揮発することや圧力の損失を防ぐことができる。
【００２１】
薬液加熱用の発熱体４１は薬液を間接的又は直接加熱することができる。発熱体に必要な電力は燃料電池にて発生させられる。発熱体４１に必要な電圧は燃料電池を直列に設けて得てもよい。また、発熱体４１と燃料電池の間に昇圧回路を介して必要な電圧にすることも可能であり、その他の制御回路等を組み込むことができる。制御回路には、バイメタル等のスイチッチや可変抵抗も含まれる。また、その他、燃料電池又は加熱部４１の動作を示す発光ダイオード等を付帯することもできる。本発明で用いる発熱体４１は室温から２００℃まで加熱することができ、薬液が沸点に達する温度以下で用いることができる。
【００２２】
薬剤として芳香剤、消臭剤、害虫を防除する薬剤等を用いることができる。薬液として従来から知られる種々の薬剤を用いることができる。例えば、消化中毒剤、接触殺虫剤、燻蒸剤、浸透殺虫剤、補助剤、誘引剤、化学不妊剤、制虫剤、等の薬剤を、単独または複数用いても良い。有機リン系、カルバリルなどのカーバメート系、ペルメトリン等の合成ピレスロイド系、クロロニコチル系、ネオニコチノイド系、等々を用いることができる。具体的には、フェニトロチオン（商標：スミチオン）、ジクロルボス（商標：ＤＤＶＰ）、ペルメトリン（商標：エクスミン）、フタルスリン（商標：ネオピナミン）、ピリプロキシフェン、フェノトリン（商標：スミスリン）、ピペロニルブトキサイド、プロペタンホス、ｄ−Ｔ８０レスメトリン、クロルピリホスメチル、トリクロルホン（商標：ディプテレックス）、ジクロルボス、ｄ−ｄ−Ｔ８０プラレトリン、イミプロトリン、ｄ−Ｔ８０フタルスリン、フィプロニル、エトフェンプロックス（商標：レナトップ）、ピリダフェンチオン、アレスリン（商標：ピナミン）、フェンチオン（商標：バイテックス）、サイネピリン、パラジクロルベンゼン、トリクロルエチレン、ピリダフェンチオン、ダイアジノン、メトキサジアゾン、メトプレン、ベーパースリン、ピレスロイド様系、ＩＧＲ、ブトキサイド、オクタクロロジプロビルエーテル、クレゾール、プロポクスル、ヒドラメチルノン（商標：マックスフォース）、ディプテレックス、イミダクロプリド、Ｎ−アルキルアミド系、ジフルベンズロン、テルペン系製油、ジョチュウギクエキス（商標：ピレトリン）、シラフルオフェン（商標：シロネン）を用いることができる。また、乳酸、アミノ酸、尿素、アンモニア等の誘引物質を添加することができる。
【００２３】
薬液容器３２は前述の燃料容器２２と同一の材料を同様な加工法を用いて作製することができる。薬液中栓３３、薬液含浸棒３４も前述の燃料中栓２３および燃料含浸棒２４と同様である。特に、薬液含浸棒３４は加熱部４１からの熱による悪影響を受けないため耐熱性の材料でできていることが望ましい。
【００２４】
外装容器（ハウジング）４２には、発熱体による熱の影響を受けにくい材質を用いることが望ましい。外装容器４２と発熱体４１の間に断熱材を介在させてもよい。また、外装容器４２には燃料及び薬液保管部の蓋４４を設けても良く、薬液容器３２および燃料容器２２を固定する機能またはそれを補助する機能を有する。燃料電池で消費する酸素を補給するために、空気取り入れ口４４が外装容器４２または、燃料及び薬液保管部の蓋４４に設けられている。尚、ここでは便宜的に空気取り入れ口を燃料及び薬液保管部の蓋４４には配置したがそれに限定されるものではない。
【００２５】
次に、本発明のファンを用いた薬剤散布装置の断面図を図４に示す。ここで、固体高分子膜（ＰＥＭ）１０、カソード（正極）１１、アノード（負極）１２、アノード配線１４、カソード配線１５、燃料２１、燃料容器２２、燃料中栓２３、燃料含浸棒２４、燃料揮発防止カバー２５、薬液３１、薬液容器３２、薬液中栓３３、薬液含浸棒３４、薬液散布促進材３５、薬液加熱用の発熱体４１、外装容器（ハウジング）４２、燃料及び薬液保管部の蓋４３、空気取り入れ口４４、は図３と同一又は同様の構成を用いることができる。燃料電池で得た電力をファン５１の動作に用いる。この時、薬液の拡散を効率的に行なうため、薬液散布促進材３５を薬液含浸棒３４に接続し配置できる。薬液散布促進材３５は薬液による溶解がなく比面積が高い海綿体状の材料を用いることができる。薬液散布促進材３５の表面に運ばれた薬液はファン５１によって生じた気流よって揮発と拡散が促進される。また、外装容器（ハウジング）４２内の気体はファン５１によって排出されるため、外装容器内は負圧となる。これを補うために空気取り入れ口５２から燃料電池カソード１１に向かって気流が生じる。また、ファンは燃料電池カソード１２で生じた炭酸ガスを排出する機能を有する。
【００２６】
【実施例】
本発明の実施例を以下に詳細に説明する。
（実施例１）
本実施例では、図３で示した構成の害虫防除装置を例示している。固体高分子膜（ＰＥＭ）１０には、デュポン社製ナフィオン（商標）フィルム（型式１１７）を縦３０ｍｍ、横４０ｍｍに切断して用いた。カソード（正極）１１には、白金を５０ｗｔ％担持したカーボン微粉末をナフィオン溶液に分散し、白金重量が２ｍｇ／ｃｍ２  になるように塗布した東レ社製カーボンペーパー（商標）（型式ＴＧＰ−Ｈ−０６０・厚み１９０μｍ）を用いた。縦２５ｍｍ、横３０ｍｍに切断し、電極として用いた。アノード（負極）１２は白金とルテニウムが１：１の原子比になるように調整された合金触媒を用い、カソードと同様に調整、成形し用いた。アノード配線とカソード配線は、それぞれ集電体として用いた表面を防錆処理したＳＵＳ３０４製の板を格子状に加工しスポット溶接にて接続した。集電板は市販の導電性のエポキシ樹脂を用いて防錆処理を施した。上記の燃料電池のユニットを１２直列して用いた。ここで、アノード１２と発熱体４１の間に市販の赤色の発光ダイオードが直列に介在している。発熱体４１はシリコン製ラバーヒーターで６Ｖ５Ｗ（電力密度０．８ｗ／ｃｍ２  ）の定格である。発熱体４１は２５ｍｍ×２５ｍｍ角の平板状であったが、筒状に加工して用いた。燃料２１にはメタノール約２０ｍｌと水約１８ｍｌを混合して用いた。燃料容器２２は直径約５０ｍｍ、高さ約５０ｍｍの底面を有する円筒形で、上部に直径約２０ｍｍの開口部を設けた。材質はポリエチレンテレフタレートを用いた。ガラス繊維を束ねて直径６ｍｍ、長さが６０ｍｍの円柱状に加工したものを燃料含浸棒２４として用いた。燃料揮発防止カバー２５はポリアミド製の熱収縮チューブを用いた。燃料中栓２３には、シリコンゴムを厚さ約３ｍｍ、外径約２０ｍｍ、内径約６ｍｍのドーナツ状に加工したものを用いた。薬液３１は市販のピレスロイド系を殺虫剤含む溶液を４０ｍｌ用いた。薬液容器３２、薬液中栓３３、薬液含浸棒３４は上記記載の燃料容器２２、燃料中栓２３、燃料含浸棒２４と同一に作製した。外装容器（ハウジング）４２、燃料及び薬液保管部の蓋４３は厚さ５ｍｍのアクリル板を用いた。外装容器（ハウジング）４２はアクリル板を張り合わせ、２１ｃｍ×３０ｃｍ×１０ｃｍの大きさに加工して用いた。空気取り入れ口４４は上記アクリル板に直径８ｍｍの穴を６０個開けた。
【００２７】
本実施例では、燃料電池より単セルで０．５Ｖの電圧を取り出すことができ、この電圧でヒーターを加熱し、薬液を散布することが可能であった。
【００２８】
（実施例２）
本実施例では、薬液散布促進材３５として、ガラス繊維を直径３０ｍｍに打ち抜き、テフロン製の支持体で挟持したものを用いている。ファン５１は市販のマブチモーター製（型式：ＲＦ−５００ＴＢ）モーターを使用し、市販の軸流ファン（商標：ＳＰＲＯＮ）を用い接続した。燃料電池は実施例１と同様に作製し２個を直列した。外装容器（ハウジング）４２、燃料及び薬液保管部の蓋４３は厚さ５ｍｍのアクリル板を用いた。外装容器（ハウジング）４２はアクリル板を張り合わせ、１０ｃｍ×１５ｃｍ×１０ｃｍの大きさに加工して用いた。空気取り入れ口４４は上記アクリル板に直径８ｍｍの穴を４個開けた。空気取り入れ口５２は上記アクリル板に櫛状のスリット加工を施した。それ以外は実施例１と同様に作製した。
【００２９】
本実施例では、燃料電池の電源でファンが駆動されるとともに、燃料電池が安定に動作でき、薬液の散布が可能であった。
上述した実施例の製品を千葉県内の一般家屋に設置し稼動した。３月の暖かい日を選び、正午より６時間稼動した。冬季にも関わらず飛翔虫を２匹確認することができ、その飛翔虫は絶命し防除することができた。これは本発明の誘引効果と防除の相乗効果であると考えられる。
【００３０】
【発明の効果】
本発明の構成によれば、独立電源を用いたことにより、害虫防除装置の設置場所の制限を解除できた。また、燃料電池を併用することで、炭酸ガス誘引効果と化学的防除を同時に実施でき、害虫防除の効果が高まった。さらに、ヒーターから発する熱による誘引と燃料電池から発生する炭酸ガスによる誘引が相乗効果を示し、化学的防除による害虫防除の効果がより高まった。
【００３１】
また、燃料電池カソードで生じた水分を薬剤散布のために用いたファンにより拡散除去を行なったため、一定の出力を持続することが可能となり、化学的防除による害虫防除の効果がより持続した。
【００３２】
また、薬剤の消費と燃料電池の消費される時期を同一に設定し、かつ化学防除の薬剤を入れた容器と燃料電池の燃料を入れた容器を接続することで、薬液と燃料の交換が同時にできるようになり、利便性が高まった。
【図面の簡単な説明】
【図１】本発明のヒーターを用いた薬剤散布システムの概念図である。
【図２】本発明のファンを用いた薬剤散布システムの概念図である。
【図３】本発明のヒーターを用いた薬剤散布装置の断面図である。
【図４】本発明のファンを用いた薬剤散布装置の断面図である。
【符号の説明】
１  燃料電池部
２  燃料容器部
３  薬液タンク部
４  ヒーター部
５  ファン
１０  固体高分子膜（ＰＥＭ）
１１  カソード（正極）
１２  アノード（負極）
１３  カソード配線
１４  アノード配線
２１  燃料
２２  燃料容器
２３  燃料中栓
２４  燃料含浸棒
２５  燃料揮発防止カバー
【図１】
2005000111.tif 000003
【図２】
2005000111.tif 000004
【図３】
2005000111.tif 000005
【図４】
2005000111.tif 000006